(57)【要約】【課題】ＵＥによるＴＡＵの頻度を増加させず、かつ、ＵＥへのデータが到着した際に当該ＵＥが高速通信を行うセルに在圏しているにも拘わらず当該セルの基地局を介してデータを受信できない可能性を低くできる技術を提供する。【解決手段】１つ以上の第１セルと、前記１つ以上の第１セルの少なくとも１つの第１セル内に配置される、１つ以上の第２セルとを有する移動通信ネットワークのユーザ装置は、前記１つ以上の第２セルのうちの１つの進入セルに進入した際、前記進入セルへの進入を前記移動通信ネットワークに通知するか否かを判定する判定手段と、前記判定手段が前記進入を前記移動通信ネットワークに通知すると判定すると、前記進入を前記移動通信ネットワークに通知する通知手段と、を備えている。【選択図】図８
2020014148.tif 000002
【特許請求の範囲】
【請求項１】
１つ以上の第１セルと、前記１つ以上の第１セルの少なくとも１つの第１セル内に配置される、１つ以上の第２セルとを有する移動通信ネットワークのユーザ装置であって、
前記１つ以上の第２セルのうちの１つの進入セルに進入した際、前記進入セルへの進入を前記移動通信ネットワークに通知するか否かを判定する判定手段と、
前記判定手段が前記進入を前記移動通信ネットワークに通知すると判定すると、前記進入を前記移動通信ネットワークに通知する通知手段と、
を備えていることを特徴とするユーザ装置。
【請求項２】
ページングされた頻度を判定する頻度判定手段をさらに備えており、
前記頻度が高い程、前記判定手段が前記進入を前記移動通信ネットワークに通知する確率が高くなることを特徴とする請求項１に記載のユーザ装置。
【請求項３】
前記１つ以上の第２セルへの滞在時間を判定する滞在時間判定手段をさらに備えており、
前記滞在時間の平均値が長い程、前記判定手段が前記進入を前記移動通信ネットワークに通知する確率が高くなることを特徴とする請求項１又は２に記載のユーザ装置。
【請求項４】
前回のページングからの経過時間を判定する経過時間判定手段をさらに備えており、
前記経過時間が長い程、前記判定手段が前記進入を前記移動通信ネットワークに通知する確率が高くなることを特徴とする請求項１から３のいずれか１項に記載のユーザ装置。
【請求項５】
前記判定手段は、前記進入セルに進入した際に判定値を生成し、生成した前記判定値に基づき前記進入を前記移動通信ネットワークに通知するか否かを判定することを特徴とする請求項１に記載のユーザ装置。
【請求項６】
前記判定値は、前記ユーザ装置がページングされた頻度と、前記ユーザ装置の前記１つ以上の第２セルへの滞在時間に基づく値と、前記ユーザ装置への前回のページングからの経過時間と、の１つ以上に基づき求められることを特徴とする請求項５に記載のユーザ装置。
【請求項７】
前記１つ以上の第２セルはグループ化され、
前記進入セルと同じグループの第２セルに在圏していることを前記移動通信ネットワークに通知してから所定期間内に前記進入セルに進入した場合、前記判定手段は、前記進入セルへの進入を前記移動通信ネットワークに通知しないと判定することを特徴とする請求項１から６のいずれか１項に記載のユーザ装置。
【請求項８】
前記通知手段が、前記進入を前記移動通信ネットワークに通知した後、前記所定期間が経過したタイミングまでに、前記進入セルとは異なるグループの第２セルに進入していない場合、前記判定手段は、前記タイミングにおいて、前記進入セルと同じグループの第２セルに在圏しているか、いずれの第２セルにも在圏していないかを判定し、
前記判定手段が、前記タイミングにおいて、前記進入セルと同じグループの第２セルに在圏していると判定すると、前記通知手段は、前記進入セルと同じグループの第２セルに在圏していることを前記移動通信ネットワークに通知することを特徴とする請求項７に記載のユーザ装置。
【請求項９】
前記判定手段が、前記タイミングにおいて、いずれの第２セルにも在圏していないと判定しても、前記通知手段は、いずれの第２セルにも在圏していないことを前記移動通信ネットワークに通知しないことを特徴とする請求項８に記載のユーザ装置。
【請求項１０】
請求項１から９のいずれか１項に記載のユーザ装置としてコンピュータを機能させることを特徴とするプログラム。
【請求項１１】
１つ以上の第１セルと、前記１つ以上の第１セルの少なくとも１つの第１セル内に配置される、１つ以上の第２セルとを有する移動通信ネットワークの管理装置であって、
前記１つ以上の第１セルは、１つ以上の第１グループにグループ化され、
前記１つ以上の第２セルは、１つ以上の第２グループにグループ化され、
前記管理装置は、
ユーザ装置それぞれについて、前記１つ以上の第１グループへの在圏状態を示す第１在圏情報と、前記１つ以上の第２グループへの在圏状態を示す第２在圏情報と、を管理する管理手段を備えていることを特徴とする管理装置。
【請求項１２】
前記移動通信ネットワークにユーザ装置へのデータが到着すると、前記第２在圏情報に基づき、前記ユーザ装置が前記１つ以上の第２グループのいずれかに在圏しているか否かを判定する判定手段と、
前記ユーザ装置が前記１つ以上の第２グループのいずれかに在圏していると前記判定手段が判定すると、前記ユーザ装置が在圏すると前記判定手段が判定した第２グループの基地局を介して前記ユーザ装置のページングを行うページング手段と、
をさらに備え、
前記ユーザ装置が在圏すると前記判定手段が判定した第２グループの基地局を介した前記ユーザ装置のページングに対する応答がないと、
前記判定手段は、前記第１在圏情報に基づき前記１つ以上の第１グループの内の前記ユーザ装置が在圏する第１グループを判定し、
前記ページング手段は、前記ユーザ装置が在圏すると前記判定手段が判定した前記第１グループの基地局を介して前記ユーザ装置のページングを行うことを特徴とする請求項１１に記載の管理装置。
【請求項１３】
前記判定手段は、前記ユーザ装置が前記１つ以上の第２グループのいずれにも在圏していないと判定すると、前記第１在圏情報に基づき前記１つ以上の第１グループの内の前記ユーザ装置が在圏する第１グループを判定し、
前記ページング手段は、前記ユーザ装置が在圏すると前記判定手段が判定した前記第１グループの基地局を介して前記ユーザ装置のページングを行うことを特徴とする請求項１２に記載の管理装置。
【請求項１４】
前記管理手段は、前記ユーザ装置からの前記１つ以上の第１グループへの在圏状態を通知する第１メッセ―ジに基づき前記第１在圏情報を管理し、前記ユーザ装置からの前記１つ以上の第２グループへの在圏状態を通知する第２メッセ―ジに基づき前記第２在圏情報を管理することを特徴とする請求項１１から１３のいずれか１項に記載の管理装置。
【請求項１５】
請求項１１から１４のいずれか１項に記載の管理装置としてコンピュータを機能させることを特徴とするプログラム。
【発明の詳細な説明】
【技術分野】
【０００１】
本発明は、移動通信ネットワークにおけるユーザ装置の位置（モビリティ）管理技術に関する。
【背景技術】
【０００２】
ユーザ装置（ＵＥ）との通信速度の向上のため、２８ＧＨｚや３８ＧＨｚ等の、所謂、ミリ波を移動通信ネットワークの無線区間において利用することが検討されている。ミリ波による通信の通信距離は、従来の、より低い無線周波数、具体的には、２ＧＨｚ以下の無線周波数を使用する場合の通信距離と比較して大変短くなる。したがって、ミリ波で通信する基地局が提供するセルの大きさは、例えば、その半径が数メートルから数十メートルと、従来のより低い無線周波数で通信する基地局が提供するセルの大きさより大変小さくなる。以下、例えば、２ＧＨｚ以下といった、より低い無線周波数で通信する基地局を第１基地局と呼び、ミリ波の様なより高い無線周波数で通信する基地局を第２基地局と呼ぶものとする。また、第１基地局が提供するセルを第１セルと呼び、第２基地局が提供するセルを第２セルと呼ぶものとする。
【０００３】
現在の移動通信ネットワークは、複数の第１セルを連続して、或いは、その一部を重複させて配置することで、ユーザに対して途切れのないサービスを提供している。一方、その大きさが大変小さい第２セルを、第１セルと同様に連続して配置するには、多数の第２基地局を設置する必要があり、現実的ではない。したがって、従来と同様に、第１セルを連続して、或いは、その一部を重複させて配置した上で、第１セルの中に、複数の第２セルを離散的に配置することが検討され、ヘテロジニアスネットワーク（ＨｅｔＮｅｔ）として参照される。
【０００４】
一方、例えば、第１セルのみで構成される移動通信ネットワークは、以下に説明するＵＥのモビリティ管理を行う。まず、複数の隣接するセルをトラッキングエリア（ＴＡ）としてグループ化し、同じＴＡに属する第１基地局には、同じＴＡ識別子（ＴＡＩ）を付与する。各第１基地局は、自装置に付与されたＴＡＩを周期的にブロードキャストする。ＵＥは、在圏するセルの第１基地局がブロードキャストするＴＡＩを監視することで、自装置がどのＴＡに在圏しているかを判定する。そして、ＵＥは、異なるＴＡに進入したときや、同じＴＡへの滞在時間が閾値以上になったときに、移動通信ネットワークのモビリティ管理装置（以下、単に、管理装置と呼ぶ。）に、在圏するセルの第１基地局を介して在圏するＴＡのＴＡＩを報告する。なお、この報告は、ＴＡアップデート（ＴＡＵ）と呼ばれる。これにより、移動通信ネットワークは、ＵＥの位置を、ＴＡを単位として認識する。そして、ＵＥ宛のデータが移動通信ネットワークに到着した場合、移動通信ネットワークは、当該ＵＥが在圏するＴＡの総ての第１基地局を介して当該ＵＥをページングする。自装置宛のページングを検出したＵＥは、自装置が在圏するセルの第１基地局を介してページングに対する応答を送信する。これにより、移動通信ネットワークは、ＵＥが在圏するセルを認識する。その後、移動通信ネットワークは、ＵＥが在圏するセルの第１基地局を介して当該ＵＥとのコネクションを設定し、設定したコネクションを介して当該ＵＥにデータを送信する。
【０００５】
ＨｅｔＮｅｔにおいては、多数の第２セルが配置されるが、上述した様に、第２セルは、非常に小さく、移動しているＵＥは第２セルを非常に短時間で通過し得る。したがって、多数の第２セルを配置すると、ＵＥによるＴＡＵの頻度が増加し、多数のＴＡＵにより、ＵＥの消費電力が増加する。また、移動通信ネットワークにおいては、ＴＡＵによるトラフィック、つまり、制御用トラフィックが増加し、通常のトラフィック、つまり、ユーザによるデータ送信のためのトラフィックに影響を与える。
【０００６】
このため、非特許文献１は、ＴＡＵの頻度を減少させる構成を開示している。具体的には、ＵＥは、第２セルに進入しても直ちにＴＡＵを行わず、所定期間が経過しても依然当該第２セルに在圏している場合に初めてＴＡＵを行う。これにより、当該所定期間内に当該第２セルを通過する様な状況においてはＴＡＵが行われず、ＴＡＵの頻度を減少させることができる。
【先行技術文献】
【非特許文献】
【０００７】
【非特許文献１】Ｈ．Ｌ．Ｆｕ，ｅｔ  ａｌ．，"Ｒｅｄｕｃｉｎｇ  Ｓｉｇｎａｌｉｎｇ  Ｏｖｅｒｈｅａｄ  ｆｏｒ  Ｓｍａｌｌ−ｃｅｌｌ/Ｍａｃｒｏ−ｃｅｌｌ  Ｎｅｔｗｏｒｋｓ",ｉｎ  ＩＥＥＥ  Ｔｒａｎｓａｃｔｉｏｎｓ  ｏｎ  Ｍｏｂｉｌｅ  Ｃｏｍｐｕｔｉｎｇ，ｖｏｌ．１２，ｎｏ．８，ｐｐ．１５８７−１５９７，２０１３年８月
【発明の概要】
【発明が解決しようとする課題】
【０００８】
非特許文献１の構成において、所定期間がＵＥの第２セルへの平均的な滞在時間より小さくなりすぎると、ＴＡＵの頻度はあまり減少しなくなる。一方、所定期間がＵＥの第２セルへの平均的な滞在時間より大きくなりすぎると、ＵＥによる第２セルに関するＴＡＵの頻度は大きく減少するが、この場合、移動通信ネットワークは、ＵＥが第２セルに在圏していても、それを認識できず、よって、ＵＥが第２セルに在圏していても、第１セルを介して当該ＵＥをページングし、第１セルの第１基地局を介して当該ＵＥにデータを送信することになる。つまり、ＵＥは、第２セルに在圏していても、当該第２セルの第２基地局を介したミリ波による高速通信の利点を享受する頻度が大きく減少する。
【０００９】
本発明は、ＵＥによるＴＡＵの頻度を増加させず、かつ、ＵＥへのデータが到着した際に当該ＵＥが高速通信を行うセルに在圏しているにも拘わらず当該セルの基地局を介してデータを受信できない可能性を低くできる技術を提供するものである。
【課題を解決するための手段】
【００１０】
本発明の一態様によると、１つ以上の第１セルと、前記１つ以上の第１セルの少なくとも１つの第１セル内に配置される、１つ以上の第２セルとを有する移動通信ネットワークのユーザ装置は、前記１つ以上の第２セルのうちの１つの進入セルに進入した際、前記進入セルへの進入を前記移動通信ネットワークに通知するか否かを判定する判定手段と、前記判定手段が前記進入を前記移動通信ネットワークに通知すると判定すると、前記進入を前記移動通信ネットワークに通知する通知手段と、を備えていることを特徴とする。
【発明の効果】
【００１１】
本発明によると、ＵＥによるＴＡＵの頻度を増加させず、かつ、ＵＥへのデータが到着した際に当該ＵＥが高速通信を行うセルに在圏していると、当該セルの基地局を介してデータを受信できる可能性を高くすることができる。
【図面の簡単な説明】
【００１２】
【図１】一実施形態によるセルの配置と、ユーザ装置の移動経路を示す図。
【図２】管理装置が管理する在圏情報を示す図。
【図３】管理装置が管理する在圏情報を示す図。
【図４】管理装置が管理する在圏情報を示す図。
【図５】管理装置が管理する在圏情報を示す図。
【図６】管理装置が管理する在圏情報を示す図。
【図７】管理装置が管理する在圏情報を示す図。
【図８】一実施形態によるユーザ装置の構成図。
【図９】一実施形態による管理装置の構成図。
【発明を実施するための形態】
【００１３】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１４】
図１は、本実施形態を説明するための例示的なＨｅｔＮｅｔを示している。セル１は、第１セルであり、その中には、１つ以上の第２セルであるセル２１〜２６が配置されている。上述した様に、第２セルは、第１セルと比較してそのサイズは大変小さいが、第１セルより高速な通信をＵＥと行うことができる。なお、図１には、第１セルとして１つのセル１のみを示しているが、移動通信ネットワークは、１つ以上の第１セル、より一般的には複数の第１セルを有する。複数の第１セルは、移動通信ネットワークのサービス提供範囲に渡り、連続的に、より詳しくは、その境界において部分的に重複する様に配置される。そして、１つ以上の第１セルの内の少なくとも１つの第１セルに、１つ以上の第２セルが配置される。
【００１５】
なお、上述した様に第１セルには第１基地局が存在し、第２セルには第２基地局が存在するが図の簡略化のため省略している。また、移動通信ネットワークは、ＵＥのモビリティを管理する管理装置を有する。各ＵＥは、ＴＡＵを行う際、在圏しているセルの基地局を介してＴＡＵメッセージを送信する。なお、図の簡略化のため図１では、管理装置も省略している。
【００１６】
本実施形態において、第１セルには、従来と同様にＴＡＩを割り当てる。図１において、セル１にはＴＡＩとして＃１を割り当てている。
【００１７】
本実施形態においては、同じセル１内の１つ以上のセル２１〜２６をグループ化する。図１では、セル２１〜２３を１つのグループとし、セル２４〜２６を１つのグループとしている。そして、同じグループに属する第２セルを１つのＴＡとし、同じＴＡＩを割り当てる。図１において、セル２１〜２３にはＴＡＩとして＃２１を割り当て、セル２４〜２６にはＴＡＩとして＃２２を割り当てている。
【００１８】
また、図１は、ＵＥの移動経路５も示している。ＵＥは、位置３１でセル１に進入し、その後、位置３２でセル２１に進入している。ＵＥは、位置３３でセル２１から抜け出し、位置３４でセル２３に進入している。さらに、ＵＥは、位置３５でセル２３から抜け出し、位置３６でセル２５に進入し、最後に、位置３７でセル２５から抜け出している。
【００１９】
本実施形態において、管理装置は、第１セルで構成されるＴＡ（以下、第１ＴＡ）へのＵＥの在圏情報と、第２セルで構成されるＴＡ（以下、第２ＴＡ）へのＵＥの在圏情報を個別に管理する。ここで、第１ＴＡに対するＵＥのＴＡＵに関する動作は従来と同様である。つまり、ＵＥは、ある第１ＴＡから異なる第１ＴＡに進入するとＴＡＵを行う。また、ＵＥは、同じ第１ＴＡに第１所定期間だけ滞在し続けると、ＴＡＵを行う。以下、ＵＥの第２ＴＡに対する動作について説明する。
【００２０】
まず、ＵＥは、第２ＴＡを抜け出て、どの第２ＴＡにも在圏しない状態になったとしても、その旨を管理装置に通知しない。また、ＵＥは、前回のＴＡＵを行った際の第２ＴＡとは異なる第２ＴＡに進入すると確率的にＴＡＵを行う。つまり、本実施形態において、前回のＴＡＵで管理装置に通知した第２ＴＡとは異なる第２ＴＡにＵＥが進入した際、ＵＥはＴＡＵを行う場合と、ＴＡＵを行わない場合が存在する。また、ＵＥは、第２ＴＡのＴＡＵを行うと、当該ＴＡＵを行ったタイミングから第２所定期間が経過した際、依然、同じ第２ＴＡに在圏しているかを判定し、同じ第２ＴＡに在圏しているとＴＡＵを行う。一方、第２ＴＡのＴＡＵを行ったタイミングから第２所定期間が経過した際、いずれの第２ＴＡにも在圏していないと、ＵＥはＴＡＵを行わない。上述した様に、本実施形態において、ＵＥは、いずれの第２ＴＡにも在圏しない状態になったことを管理装置に通知しないが、第２所定期間の経過時にＴＡＵを行わないことで、いずれの第２ＴＡにも在圏しない状態であることを事後的、かつ、暗示的に管理装置に通知する。
【００２１】
また、前回の第２ＴＡに対するＴＡＵから第２所定期間以上経過した後、いずれの第２ＴＡにも在圏していない状態から第２ＴＡに進入すると、進入した第２ＴＡが前回ＴＡＵを行った第２ＴＡと同じであっても、ＵＥは、第２ＴＡに進入した際に確率的にＴＡＵを行う。言い換えると、ある第２ＴＡへの在圏を示すＴＡＵを行ったタイミングと第２所定期間との比較により、ＵＥの第２ＴＡへの在圏状態を管理装置がどの様に管理しているかをＵＥは判定することができる。そして、ＵＥがある第２ＴＡに進入した際、当該ＵＥが当該第２ＴＡには在圏していないと管理装置が認識している場合、ＵＥは確率的にＴＡＵを行う。一方、ＵＥがある第２ＴＡに進入した際、当該ＵＥが当該第２ＴＡに在圏していると管理装置が認識している場合、ＵＥはＴＡＵを行わない。
【００２２】
以下、ＵＥが移動経路５に沿って移動した場合のＵＥの動作と管理装置が管理する在圏情報について図２から７を用いて説明する。なお、別途明記する以外、位置３２から位置３７までの移動時間は第２所定期間より短いものとする。セル２１とセル２３は同じ第２ＴＡに属するため、位置３２でＵＥがＴＡＵを行うと、位置３４でＵＥはＴＡＵを行わない。一方、位置３２でＵＥがＴＡＵを行わないと、位置３４でＵＥはＴＡＵを確率的に行う。なお、セル２５は、セル２１及びセル２３とは異なる第２ＴＡに属するため、位置３２及び位置３４でＵＥがＴＡＵを行ったか否かに拘わらず、ＵＥは、位置３６で確率的にＴＡＵを行う。
【００２３】
ＵＥが位置３１以前において、セル１とは異なる第１ＴＡに在圏していた場合、ＵＥは、位置３１においてＴＡＩ＃１を示すＴＡＵを行う。一方、ＵＥが位置３１以前において、セル１と同じ第１ＴＡに在圏していた場合、ＵＥは、位置３１においてセル１を示すＴＡＵを行わない。しかしながら、いずれにしても、図２から７に示す様に、管理装置は、ＵＥが位置３１から位置３２の区間にいる間、ＵＥがＴＡＩ＃１の第１ＴＡのみに在圏していると管理する。
【００２４】
図２は、位置３２及び位置３６の両方において、ＴＡＵを行った場合の管理装置での在圏情報を示している。ＵＥは、位置３２で、ＴＡＩ＃２１を示すＴＡＵを行う。上述した様に、ＵＥは、セル２１を抜け出して、いずれの第２セルにも在圏しない状態になったとしても、その旨を管理装置に通知しない。また、上述した様に、位置３２でＴＡＵを行ったため、位置３４ではＴＡＵを行わない。したがって、管理装置は、ＵＥが位置３２から位置３６までの区間にいる間、ＵＥがＴＡＩ＃１の第１ＴＡ及びＴＡＩ＃２１の第２ＴＡに在圏していると管理する。その後、ＵＥは、位置３６で、ＴＡＩ＃２２を示すＴＡＵを行う。したがって、管理装置は、ＵＥが位置３６から位置３７までの区間にいる間、ＵＥがＴＡＩ＃１の第１ＴＡ及びＴＡＩ＃２２の第２ＴＡに在圏していると管理する。
【００２５】
なお、例えば、位置３２でＵＥがＴＡＵを行ってから第２所定期間が経過したタイミングにおいて、ＵＥがセル２１又はセル２３に在圏していると、ＵＥは、ＴＡＵを行う。一方、位置３２でＵＥがＴＡＵを行ってから第２所定期間が経過したタイミングにおいて、ＵＥが位置３３と位置３４との間にいるとＵＥはＴＡＵを行わない。これにより、管理装置はＵＥがいずれの第２ＴＡにも在圏していないと、第２ＴＡの在圏情報を更新する。この場合、ＵＥは、位置３４において、確率的にＴＡＵを行う。
【００２６】
図３は、位置３２でＴＡＵを行ったが、位置３６ではＴＡＵを行わなかった場合の管理装置での在圏情報を示している。位置３１から位置３６までの区間については図２と同様である。しかしながら、ＵＥは、位置３６でＴＡＵを行わなかったため、管理装置は、ＵＥが位置３６から位置３７の区間にいる間、ＵＥがＴＡＩ＃１の第１ＴＡ及びＴＡＩ＃２１の第２ＴＡに在圏していると管理する。
【００２７】
なお、例えば、位置３２でＵＥがＴＡＵを行ってから第２所定期間が経過したタイミングにおいて、ＵＥがセル２５に在圏していると、当該タイミングにおいて、管理装置はＵＥがいずれの第２ＴＡにも在圏していないと認識する。
【００２８】
図４は、位置３２ではＴＡＵを行わなかったが、位置３４及び位置３６でＴＡＵを行った場合の管理装置での在圏情報を示している。ＵＥは位置３２でＴＡＵを行わなかったため、管理装置は、ＵＥが位置３２から位置３４までの区間にいる間、ＵＥがＴＡＩ＃１の第１ＴＡのみに在圏していると管理する。その後、ＵＥが位置３４でＴＡＵを行ったため、管理装置は、ＵＥが位置３４から位置３６までの区間にいる間、ＵＥがＴＡＩ＃１の第１ＴＡ及びＴＡＩ＃２１の第２ＴＡに在圏していると管理する。
【００２９】
図５は、位置３２及び位置３６ではＴＡＵを行わなかったが、位置３６でＴＡＵを行った場合の管理装置での在圏情報を示している。ＵＥは位置３２及び位置３４でＴＡＵを行わなかったため、管理装置は、ＵＥが位置３２から位置３６までの区間にいる間、ＵＥがＴＡＩ＃１の第１ＴＡのみに在圏していると管理する。
【００３０】
図６は、位置３２及び３６ではＴＡＵを行わなかったが、位置３４でＴＡＵを行った場合の管理装置での在圏情報を示している。ＵＥは位置３２でＴＡＵを行わなかったため、管理装置は、ＵＥが位置３２から位置３４までの区間にいる間、ＵＥがＴＡＩ＃１の第１ＴＡのみに在圏していると管理する。その後、ＵＥが位置３４でＴＡＵを行ったため、管理装置は、ＵＥが位置３４から位置３６までの区間にいる間、ＵＥがＴＡＩ＃１の第１ＴＡ及びＴＡＩ＃２１の第２ＴＡに在圏していると管理する。さらに、ＵＥは位置３６でＴＡＵを行わなかったため、管理装置は、ＵＥが位置３６から位置３７までの区間にいる間、ＵＥがＴＡＩ＃１の第１ＴＡ及びＴＡＩ＃２１の第２ＴＡに在圏していると管理する。
【００３１】
図７は、位置３２、３４及び３６でＴＡＵを行わなかった場合の管理装置での在圏情報を示している。ＵＥは総ての位置で第２ＴＡのＴＡＵを行わなかったため、管理装置は、ＵＥが位置３２から位置３７までの区間にいる間、ＵＥがＴＡＩ＃１の第１ＴＡのみに在圏していると管理する。
【００３２】
管理装置は、ＵＥ宛のデータが到着すると、第２ＴＡの在圏情報に基づき、ＵＥの第２ＴＡへの在圏状態を判定する。つまり、ＵＥが第２ＴＡに在圏しているか否かと、第２ＴＡに在圏している場合には、どの第２ＴＡに在圏しているかを管理装置は判定する。ＵＥが第２ＴＡに在圏していると、移動通信ネットワークは、ＵＥの在圏第２ＴＡの総ての第２基地局を介してＵＥをページングする。そして、当該ページングに対してＵＥから応答があると、従来と同様に、移動通信ネットワークは、ＵＥとのコネクションを設定してデータを送信する。一方、第２基地局を介したページングに対する応答がないと、移動通信ネットワークは、ＵＥが在圏している第１ＴＡの総ての第１基地局を介してページングする。第１ＴＡに対するＴＡＵは従来と同様であるため、移動通信ネットワークは、基本的には、当該ページングの応答をＵＥから受信し、よって、従来と同様に、ＵＥとのコネクションを設定してデータを送信できる。なお、第１基地局を介したページングに対する応答がない場合についての処理も従来と同様である。つまり、移動通信ネットワークは、管理装置が在圏していると判定した第１ＴＡの周囲の他の第１ＴＡの第１基地局を介してページングする。
【００３３】
図２から７に示す様に、ＵＥが第２ＴＡに在圏している場合でも、ＵＥがいずれの第２ＴＡにも在圏していないと管理装置が判定する場合や、ＵＥが実際に在圏している第２ＴＡとは異なる第２ＴＡに在圏していると管理装置が判定する場合が生じ得る。このときに、ＵＥ宛のデータが移動通信ネットワークに到着しても、移動通信ネットワークは、第１基地局を介してＵＥをページングし、よって、ＵＥに第１基地局を介してデータを送信してしまう。したがって、ＵＥが第２セルに在圏している間に、当該ＵＥ宛のデータが移動通信ネットワークに到着する可能性が高いのであれば、ＴＡＵを行って第２セルへの在圏を管理装置に通知することで、ＵＥは、第２基地局を介して高速にデータを受信できる可能性が高くなる。一方、ＵＥが第２セルに在圏している間に、当該ＵＥ宛のデータが移動通信ネットワークに到着する可能性が低いのであれば、ＴＡＵを行わないことで、ＴＡＵの頻度を減少させることができる。したがって、本実施形態において、ＵＥは、第２セルに進入した際、当該第２セルに在圏している間に当該ＵＥ宛のデータが移動通信ネットワークに到着する可能性を示す判定値を生成し、当該判定値に基づきＴＡＵを行うか否かを決定する。以下、具体的に説明する。
【００３４】
図８は、本実施形態によるＵＥの構成図である。到着頻度判定部４１は、移動通信ネットワークに自装置宛のデータが到着し、これにより、移動通信ネットワークからページングを受信した頻度（以下、到着頻度）を算出する。例えば、過去１０時間で、５０回のページングを受けている場合、到着頻度は５回／時間である。なお、算出に利用する期間は、過去所定期間することができる。或いは、前回の電源投入時からの全期間を算出に利用する期間とすることができる。さらには、初めて電源を投入してからの全期間を算出に利用する期間とすることができる。さらには、毎年の１月１日の午前０時や、毎月の１日の午前０時や、毎週の日曜日の午前０時といった所定タイミングから現在までの期間を算出に利用する期間とすることができる。以下、到着頻度判定部４１が判定する到着頻度をλとする。
【００３５】
また、到着頻度判定部４１は、移動通信ネットワークから受けた前回のページングからの経過時間Ｅを計測する。
【００３６】
滞在時間判定部４２は、自装置の第２セルへの滞在時間の平均値（以下、滞在平均値）を算出する。例えば、ＵＥが３つのセルにそれぞれ、１分、５分、６分だけ滞在していた場合、滞在平均値は、４分である。なお、算出に利用する期間は、到着頻度と同様の考え方を適用できる。或いは、過去所定数の第２セルへの滞在時間の平均値とすることもできる。以下、滞在時間判定部４２が判定する滞在平均値をＳとする。
【００３７】
ＴＡＵ実行判定部４３は、第２セルへ進入した際に、ＴＡＵを行うか否かを判定するため、到着頻度判定部４１から到着頻度λ及び経過時間Ｅを取得し、滞在時間判定部４２から滞在平均値Ｓを取得する。ＴＡＵ実行判定部４３は、ｘ＝Ｓ＋Ｅとし、以下の式（１）により、判定値Ｐを求める。
Ｐ＝１−ｅ−λｘ          （１）
そして、ＴＡＵ実行判定部４３は、０以上かつ１以下の乱数Ｒを生成し、乱数Ｒが判定値Ｐ以下であるとＴＡＵを実行すると決定し、乱数Ｒが判定値Ｐより大きいとＴＡＵを実行しない決定する。
【００３８】
したがって、判定値Ｐが大きい程、ＴＡＵが行われる確率が高くなる。ここで、式（１）から明らかな様に、判定値Ｐは、到着頻度λが高い程、滞在平均値Ｓが長い程、前回のページングからの経過時間Ｅが長い程、大きくなる。到着頻度λが高い程、滞在平均値Ｓが長い程、前回のページングからの経過時間Ｅが長い程、ＵＥが第２セルに在圏している間に移動通信ネットワークからページングされる確率は高くなる。したがって、到着頻度λが高い程、滞在平均値Ｓが長い程、前回のページングからの経過時間Ｅが長い程、ＴＡＵが行われる確率を高くすることで、ＵＥが第２ＴＡに在圏しているのにも拘らず、第１基地局を介してデータを受信する状態を減少させることができる。
【００３９】
一方、到着頻度λが低く、滞在平均値Ｓが短く、前回のページングからの経過時間Ｅが短いと、ＵＥが第２ＴＡに在圏している間に当該ＵＥがページングされる確率も低くなる。この様な場合、ＵＥがＴＡＵを行っても無駄なＴＡＵとなる可能性が高い。したがって、この様な場合にはＴＡＵを行わないことで、無駄なＴＡＵを抑え、よって、ＵＥの消費電力の増加及び移動通信ネットワークへの制御トラフィックの増加を抑えることができる。なお、通信部４３は、ＴＡＵメッセージ等を基地局と送受信するための無線インタフェースである。なお、判定値Ｐを、到着頻度λ、滞在平均値Ｓ及び前回のページングからの経過時間Ｅの少なくとも１つに基づき求める構成とすることもできる。
【００４０】
図９は、本実施形態による管理装置の構成図である。管理部６１は、ＵＥから受信する第１ＴＡのＴＡＵ及び第２ＴＡのＴＡＵに基づき、図２から図７を用いて説明した様にＵＥの在圏情報を管理する。判定部６２は、移動通信ネットワークにＵＥへのデータが到着し、当該ＵＥをページングする必要が生じると、管理部６１が管理している当該ＵＥの第１ＴＡ及び第２ＴＡへの在圏状態を判定する。ページング処理部６３は、判定部６２による判定結果に基づきＵＥへのページング処理を行う。なお、通信部６４は、移動通信ネットワークの基地局を含む種々のノードとの通信処理を行う。
【００４１】
なお、上述した様に、判定部６２は、第２ＴＡへの在圏状態をまず判定し、第２ＴＡに在圏していないと、第１ＴＡへの在圏状態を判定する。また、判定部６２の判定結果に基づきページング処理部６３が第２基地局を介してＵＥのページングを行っても当該ＵＥから応答がない場合にも、第１ＴＡへの在圏状態を判定する。
【符号の説明】
【００４２】
４１：到着頻度判定部、４２：滞在時間判定部、４３：ＴＡＵ実行判定部、４４：通信部
【図１】
2020014148.tif 000003
【図２】
2020014148.tif 000004
【図３】
2020014148.tif 000005
【図４】
2020014148.tif 000006
【図５】
2020014148.tif 000007
【図６】
2020014148.tif 000008
【図７】
2020014148.tif 000009
【図８】
2020014148.tif 000010
【図９】
2020014148.tif 000011